(57)【要約】【課題】簡易な構成で、ＰＰＭ信号を確実に再生するために正確にＰＰＭ信号をサンプリングできる信号受信装置を提供する。【解決手段】パルス位置変調信号のうち検出対象区間から任意のＨパルスの立ち上がりまたは立ち下がりエッジを開始点として設定する第１の設定手段と、前記検出対象区間における複数のＨパルスの間隔に基づいてサンプリング周期を算出する算出手段と、前記検出対象区間について、前記開始点から前記サンプリング周期の倍数を基準点とし、前記基準点からの前記複数のＨパルスの発生位置を検出する検出手段と、前記複数のＨパルスの発生位置についてヒストグラムを生成する生成手段と、前記基準点に前記ヒストグラムでピークとなる値を加えた位置を前記パルス位置変調信号における再生対象信号区間のサンプリング点と決定する決定手段と、前記サンプリング点に基づいて前記再生対象信号区間を再生する再生手段とを有する。【選択図】    図６
2011119799.tif 000002
【特許請求の範囲】
【請求項１】
パルス位置変調信号のうち検出対象区間から任意のＨパルスの立ち上がりまたは立ち下がりエッジを開始点として設定する第１の設定手段と、
前記検出対象区間における複数のＨパルスの間隔に基づいてサンプリング周期を算出する算出手段と、
前記検出対象区間について、前記開始点から前記サンプリング周期の倍数を基準点とし、前記基準点からの前記複数のＨパルスの発生位置を検出する検出手段と、
前記複数のＨパルスの発生位置についてヒストグラムを生成する生成手段と、
前記基準点に前記ヒストグラムでピークとなる値を加えた位置を前記パルス位置変調信号における再生対象信号区間のサンプリング点と決定する決定手段と、
前記サンプリング点に基づいて前記再生対象信号区間を再生する再生手段と、
を有することを特徴とする信号受信装置。
【請求項２】
前記再生対象信号区間の前段に配置された前記複数のＨパルスを一定に繰り返すプリアンブル区間を前記検出対象区間と設定する第２の設定手段とを有することを特徴とする請求項１記載の信号受信装置。
【請求項３】
前記第２の設定手段は、前記プリアンブル区間の開始から一定期間及び終了前の一定期間を前記検出対象区間から除くことを特徴とする請求項２記載の信号受信装置。
【請求項４】
前記検出手段は、前記開始点から前記サンプリング周期の２ｎ倍（ｎ≧０）を前記基準点とすることを特徴とする請求項１記載の信号受信装置。
【請求項５】
前記算出手段は、前記複数のＨパルスの間隔の平均を前記サンプリング周期として算出することを特徴とする請求項１記載の信号受信装置。
【請求項６】
前記検出手段は、前記基準点からの前記複数のＨパルスの発生位置をクロック数で検出することを特徴とする請求項１記載の信号受信装置。
【請求項７】
前記決定手段は、前記ヒストグラムに複数のピークが存在する場合、前記基準点に前記複数のピークとなる値をそれぞれ加えた位置を前記サンプリング点と決定することを特徴とする請求項１記載の信号受信装置。
【請求項８】
前記第２の設定手段は、前記再生対象信号区間の再生中に、前記再生対象信号区間で新たな検出対象区間を設定し、前記決定手段で決定された新たなサンプリング点を前記再生手段で用いるように変更することを特徴とする請求項２記載の信号受信装置。
【請求項９】
前記第２の設定手段は、前記再生対象信号区間の再生中に、前記新たな検出対象区間を一定時間間隔で変更することを特徴する請求項８記載の信号受信装置。
【請求項１０】
パルス位置変調信号のうち検出対象区間から任意のＨパルスの立ち上がりまたは立ち下がりエッジを開始点として設定し、
前記検出対象区間における複数のＨパルスの間隔に基づいてサンプリング周期を算出し、
前記検出対象区間について、前記開始点から前記サンプリング周期の倍数を基準点として、前記基準点からの前記複数のＨパルスの発生位置を検出し、
前記複数のＨパルスの発生位置についてヒストグラムを生成し、
前記基準点に前記ヒストグラムでピークとなる値を加えた位置を前記パルス位置変調信号における再生対象信号区間のサンプリング点と決定し、
前記サンプリング点に基づいて前記再生対象信号区間を再生する、
ことを特徴とする信号処理方法。
【発明の詳細な説明】
【技術分野】
【０００１】
この発明は、パルス位置変調信号の信号処理技術に関する。
【背景技術】
【０００２】
無線通信、有線通信を問わず、信号の伝送には、様々な変調方式が用いられている。信号変調方式の一例として、ＰＰＭ（Ｐｌｕｓｅ  Ｐｏｓｉｔｉｏｎ  Ｍｏｄｕｌａｔｉｏｎ、パルス位置変調）というものがある。
【０００３】
ＰＰＭ信号では、ある基準点から決まった時刻の信号レベルがＨ、Ｌの順になるように符号化されている場合、０を示す。一方、ＰＰＭ信号では、ある基準点から決まった時刻の信号レベルがＬ、Ｈの順になるように符号化されている場合、１を示す。
【０００４】
ＰＰＭ信号を確実に再生するためには、ＰＰＭ信号を正確にサンプリングする必要がある。ここで、ＰＰＭ信号は伝送過程でパルス位置にばらつきが生じる。したがって、ＰＰＭ信号を所定のサンプリング周期でサンプリングしたとしても、パルス位置のばらつきにより、確実に再生できない可能性が生じる。
【０００５】
特許文献１には、予め定められている送信データのＨレベル／Ｌレベルの時間幅と、測定した送信データのＨレベル／Ｌレベルの時間幅とを比較してその比較結果に応じてサンプリングタイミングを調整する構成について開示されている。
【先行技術文献】
【特許文献】
【０００６】
【特許文献１】特開平６−２１６７７８号公報
【発明の概要】
【発明が解決しようとする課題】
【０００７】
しかしながら、特許文献１の構成では、Ｈレベル／Ｌレベルのレベル変化が鈍化しているデータの復調の信頼性の向上を目的として復調すべきデータ全てに対してサンプリングタイミングを調整しているため、処理遅延が懸念される。また、構成が複雑化することによる処理負荷の増大も起こり得る。
【０００８】
そこで、この発明は、簡易な構成で、ＰＰＭ信号を確実に再生するために正確にＰＰＭ信号をサンプリングできる信号受信装置を提供することを目的とする。
【課題を解決するための手段】
【０００９】
本発明に係る信号受信装置は、パルス位置変調信号のうち検出対象区間から任意のＨパルスの立ち上がりまたは立ち下がりエッジを開始点として設定する第１の設定手段と、前記検出対象区間における複数のＨパルスの間隔に基づいてサンプリング周期を算出する算出手段と、前記検出対象区間について、前記開始点から前記サンプリング周期の倍数を基準点とし、前記基準点からの前記複数のＨパルスの発生位置を検出する検出手段と、前記複数のＨパルスの発生位置についてヒストグラムを生成する生成手段と、前記基準点に前記ヒストグラムでピークとなる値を加えた位置を前記パルス位置変調信号における再生対象信号区間のサンプリング点と決定する決定手段と、前記サンプリング点に基づいて前記再生対象信号区間を再生する再生手段とを有する。
【発明の効果】
【００１０】
本発明の信号受信装置によれば、簡易な構成で、ＰＰＭ信号を確実に再生するために正確にＰＰＭ信号をサンプリングできる。
【図面の簡単な説明】
【００１１】
【図１】実施形態に係る信号受信装置の概略を示すブロック図。
【図２】実施形態に係るＰＰＭ信号における符号の一般的な信号フォーマットを示す図。
【図３】実施形態に係るサンプリング周期の検出に用いる各信号波形を示すタイミングチャート。
【図４】実施形態に係るパルス発生位置の検出に用いる各信号波形を示すタイミングチャート。
【図５】実施形態に係るヒストグラムの例を示す図。
【図６】実施形態に係るサンプリング点を示すタイミングチャート。
【図７】比較例に係るサンプリング点を示すタイミングチャート。
【図８】実施形態に係る実施形態に係るヒストグラムの例を示す図。
【図９】比較例に係るサンプリング点を示すタイミングチャート。
【図１０】実施形態に係るサンプリング点を示すタイミングチャート。
【発明を実施するための最良の形態】
【００１２】
本実施形態に係る信号受信装置１について図面を参照して説明する。本実施形態は、信号受信装置１がＰＰＭ信号を再生するために、ＰＰＭ信号における再生対象となるパルス（再生対象信号）のサンプリング点を設定する構成である。図１は、実施形態に係る信号受信装置１の概略構成を示すブロック図である。信号受信装置１は、制御モジュール１０、受信モジュール１１、ＰＰＭ信号エッジ検出モジュール１２、基準点検出モジュール１３．パルス間隔検出モジュール１４、パルス検出モジュール１５、ヒストグラム生成モジュール１６、ヒストグラム分析モジュール１７、サンプリング点判定モジュール１８、サンプリング点生成モジュール１９、サンプリングモジュール２０、クロック発振モジュール２１を有する。本実施形態は、回路、ソフトウェアいずれで実現されてもよい。以下、ＰＰＭ信号の処理の流れに従って各構成について説明する。制御モジュール１０は、信号受信装置１の各部の動作を制御する。
【００１３】
受信モジュール１１は、外部機器から伝送されるＰＰＭ信号を受信する。受信モジュール１１は、外部機器と無線通信であっても有線通信であってもよい。ここで、ＰＰＭ信号の波形について説明する。図２は、ＰＰＭ信号における符号のパルスフォーマットの１例を示す図である。このＰＰＭ信号では、データ０は、任意に決められた基準点から決まった時刻の信号レベルがＨ，Ｌの順になるように符号化されている。一方、データ１は、任意に決められた基準点から決まった時刻の信号レベルがＬ，Ｈの順になるように符号化されている。
【００１４】
本実施形態では、外部機器から信号受信装置１に伝送されるＰＰＭ信号は、再生対象信号区間（実際に再生する信号区間）の前に、プリアンブル区間が配置されている。プリアンブル区間には、任意に決められた基準点から決まった時刻の信号レベルが常にＨ（Ｌの位置でもＨ）になるように設定されたパルスフォーマットが連続する区間である。したがって、このプリアンブル区間では、一定のパルスフォーマットである繰り返し信号が伝送される。
【００１５】
ＰＰＭ信号エッジ検出モジュール１２は、プリンアンブル区間におけるＰＰＭ信号の立ち上がり及び立ち下がりを検出する。ＰＰＭ信号エッジ検出モジュール１２は、エッジ検出信号を出力する。
【００１６】
基準点検出モジュール１３は．プリアンブル区間のＰＰＭ信号に対するサンプリング点を決定するための基準点を検出する。基準点検出モジュール１３は．基準点の設定手段として機能する。基準点検出モジュール１３は、基準点検出信号を出力する。基準点検出モジュール１３は．プリアンブル区間で任意のＨパルスの立ち上がりまたは立ち下がり位置を基準点（開始点）と設定する。
【００１７】
パルス間隔検出モジュール１４は、プリアンブル区間におけるパルス間隔を検出し、サンプリング周期を算出する。パルス間隔検出モジュール１４は、サンプリング周期の算出手段として機能する。図３は、パルス間隔検出モジュール１４によるサンプリング周期の検出に用いる各信号波形を示すタイミングチャートである。
【００１８】
図３には、ＰＰＭ信号、クロック信号、エッジ検出信号、基準点検出信号、Ｈパルス周期信号、Ｈパルス周期平均信号の各波形が時間軸に沿って描かれている。ＰＰＭ信号は、受信モジュール１１から入力される。クロック信号は、クロック発振モジュール２１から入力される。エッジ検出信号は、ＰＰＭ信号エッジ検出モジュール１２から入力される。基準点検出信号は、基準点検出モジュール１３から入力される。
【００１９】
パルス間隔検出モジュール１４は、プリアンブル区間におけるパルス間隔を検出する。そして、パルス間隔検出モジュール１４は、プリアンブル区間におけるパルス間隔の平均値を算出し、サンプリング周期とする。プリアンブル区間にはｎ個のパルスが有るとする。サンプリング周期は、パルス間隔を例えばａ，ｂ，ｃ，ｄ，ｅ，ｆ、…、とすると、次の式で求められる。サンプリング周期Ｓｆ＝（ａ+ｂ+ｃ+ｄ+ｅ+ｆ+…）／ｎである。パルス間隔検出モジュール１４は、算出したサンプリング周期の２周期分の長さのＰＰＭ周期信号を出力する。ここでは、サンプリング周期が８クロックとする。
【００２０】
パルス検出モジュール１５は、プリアンブル区間におけるパルス発生位置を検出する。図４は、パルス検出モジュール１５によるパルス発生位置の検出に用いる各信号波形を示すタイミングチャートである。
【００２１】
図４には、ＰＰＭ信号、クロック信号、ＰＰＭ周期信号、パルス発生位置信号、パルス検出信号（エッジ検出信号）、基準点検出信号の各波形が時間軸に沿って描かれている。ＰＰＭ信号は、必ずしもパルス検出モジュール１５に入力されていなくてもよい。クロック信号は、クロック発振モジュール２１から入力される。ＰＰＭ周期信号は、パルス間隔検出モジュール１４から入力される。パルス検出信号は、ＰＰＭ信号エッジ検出モジュール１２から入力される。基準点検出信号は、基準点検出モジュール１３から入力される。
【００２２】
パルス検出モジュール１５は、クロック信号とＰＰＭ周期信号とを比較して、ＰＰＭ周期信号をサンプリング周期の２周期分ごとに基準点を設定し、各基準点からのクロック数を対応付ける。パルス検出モジュール１５は、基準点の設定手段としても機能する。図４のＰＰＭ周期信号に描かれている数字は、各基準点からのクロック数を示している。パルス発生位置信号は、基準点からのクロック数と対応付けいる。
【００２３】
パルス検出モジュール１５は、ＰＰＭ周期信号、パルス検出信号、基準点検出信号を比較し、プリアンブル区間における開始点以降のパルス発生位置信号を検出する。パルス検出モジュール１５は、最初に、開始点からＨパルスの発生している位置（または時刻）を検出する。次に、パルス検出モジュール１５は、基準点から次のＨのパルスの発生している位置（または時刻）を検出する。パルス検出モジュール１５は、これと同様の動作をプリアンブル区間で行う。パルス間隔検出モジュール１４は、パルスの発生位置を示すパルス発生位置信号を出力する。
【００２４】
ヒストグラム生成モジュール１６は、パルス発生位置信号に基づいてＨパルスの発生頻度（発生位置）のヒストグラムを生成する。図５は、ヒストグラム生成モジュール１６で生成したヒストグラムの例を示す図である。ヒストグラムは、横軸が基準点からのクロック数、縦軸がプリアンブル区間での計測回数である。図５の左図は、サンプリング周期の２周期を１単位とした場合の基準点間における前半のＨパルスの発生頻度を示すヒストグラムである。図５の右図は、後半のＨパルスの発生頻度を示すヒストグラムである。
【００２５】
ヒストグラム分析モジュール１７は、ヒストグラムにおけるＨパルスの発生頻度の平均値からもサンプリング周期（サンプリング周波数）を８と計算できる。したがって、サンプリング周期は、８クロックとなる。ヒストグラム分析モジュール１７は、前半のＨパルスの発生頻度のピーク値を４と判断する。同様に、ヒストグラム分析モジュール１７は、後半のＨパルスの発生頻度のピーク値を１０と分析する。ここで、外部機器は、プリアンブル区間を一定のパルスフォーマットで送信している。しかしながら、ＰＰＭ信号のＨパルスの位置は、ＰＰＭ信号の伝送過程でずれが生じる。そのため、ヒストグラムは、Ｈパルスの発生位置にばらつきが大きい。
【００２６】
サンプリング点判定モジュール１８は、ヒストグラム分析モジュール１７で分析した前半及び後半のＨパルスの発生頻度がピークとなるクロック数を取得する。サンプリング点生成モジュール１９は、基準点検出信号、ＰＰＭ周期信号、Ｈパルスの発生頻度がピークとなるクロック数に基づいて、サンプリング点を生成する。サンプリング点生成モジュール１９は決定手段として機能する。
【００２７】
サンプリング点生成モジュール１９は、前半の信号レベルのサンプリング点を、基準点（例えば、再生対象信号の最初のパルスの立ち上がりまたは立ち下がりのエッジである開始点）からサンプリング周期８の２×ｎ    （ｎ＝０，１，２…)倍のクロック数に前半のＨパルスの発生頻度のピーク値である４クロック分を加算した位置と設定する。したがって、基準点からのサンプリングクロックＳｈｆは、Ｓｈｆ＝２×８×ｎ＋４    （ｎ＝０，１，２…）で決定される。
【００２８】
また、サンプリング点生成モジュール１９は、後半の信号レベルのサンプリング点を、基準点からサンプリング周期８の２×ｎ    （ｎ＝０，１，２…)倍のクロック数に後半のＨパルスの発生頻度のピーク値である１０クロック分を加算した位置と設定する。したがって、基準点からのサンプリングクロックＳｈｓは、Ｓｈｓ＝２×８×ｎ＋１０    （ｎ＝０，１，２…）で決定される。
【００２９】
サンプリングモジュール２０は、サンプリング点生成モジュール１９で生成したサンプリング点でＰＰＭ信号をサンプリングする。サンプリングモジュール２０は、サンプリングしたＰＰＭ信号を再生するために出力する。サンプリングモジュール２０は、再生手段として機能する。
【００３０】
図６は、Ｓｈｆ、Ｓｈｓをサンプリング点とした場合のタイミングチャートを示す図である。サンプリングモジュール２０が図６に示すサンプリング点でＰＰＭ信号をサンプリングすると、ＰＰＭ信号におけるＨパルスの発生位置に対して正確にサンプリングできる。
【００３１】
ここで、外部機器が送信するＰＰＭ信号のプリアンブル区間における一定のパルスフォーマットは、正常の場合（伝送前であって、伝送過程でパルス位置にばらつきが生じない場合）、パルスの周期が８クロック、前半のＨパルスの発生頻度のピークが４クロック、後半のＨパルスのピークが８＋４＝１２クロックである。つまり、サンプリング点は、基準点からサンプリング周期の倍数で決定されるクロック数にＨパルスの発生頻度のピークとなるクロック数を加算した位置である。
【００３２】
ここで、前半のＨパルスの発生頻度のピークが４クロック、後半のＨパルスのピークが１２クロックとした場合のサンプリング点について説明する。図７は、この場合のタイミングチャートを示す図である。
【００３３】
しかしながら、伝送後のＰＰＭ信号におけるＨパルスの発生頻度のヒストグラムは、パルス伝送路の特性によって、正常の場合の一定のパルスフォーマットの通りとはならない。つまり、パルス間隔は一定ではなく、なおかつばらつきが大きい場合が起こり得る。したがって、サンプリング点がサンプリング周期の倍数で決定されるクロック数に４クロック、１２クロックを加算した点とすると、信号受信装置１は、図7に示すようにＰＰＭ信号を誤ってサンプリング処理してしまう。
【００３４】
図７に示す比較例では、信号受信装置１は誤サンプリングを発生し、ＰＰＭ信号を確実に再生できない。本実施形態のように、図６に示すヒストグラムに基づいて設定したサンプリング点でＰＰＭ信号をサンプリングすると、比較例に比べて、パルスの発生位置の変動、ばらつきの影響を軽減させることができる、結果として、信号受信装置１は、ＰＰＭ信号を正確にサンプリング処理できることにより、ＰＰＭ信号を確実に再生できる。
【００３５】
本実施形態では、プリアンブル区間の任意のＨパルス（例えば一定のパルスフォーマットの最初のＨパルス）を基準とし、プリアンブル区間のうち任意の区間（例えば一定のパルスフォーマットの全信号区間）をサンプリング点の検出対象区間としているがこれに限られない。例えば、サンプリング点の検出対象区間は、プリアンブル区間のうち一定のパルスフォーマットの信号区間の開始から一定区間（数パルス）、終了前の一定区間（数パルス）を除くようにしてもよい。制御モジュール１０は、サンプリング点の検出対象区間を任意に設定できる。制御モジュール１０は、検出対象期間の設定手段として機能する。これは、一定のパルスフォーマットの信号区間は、その前後に一定のパルスフォーマットの信号区間とは異なるフォーマットの信号が存在するので、その影響が発生する可能性があるためである。
【００３６】
次に、他の実施形態について説明する。上記説明したように、信号受信装置１は、ＰＰＭ信号をサンプリングするためのサンプリング点をプリアンブル区間のＨパルスの発生頻度に基づいて検出した。これ以外にも、信号受信装置１は、ＰＰＭ信号のプリアンブル区間以外の再生対象信号区間に基づいてサンプリング点を検出するようにしてもよい。
【００３７】
パルス検出モジュール１５は、上記同様、ＰＰＭ信号の再生対象信号区間における任意の区間でＨパルスの立ち上がりエッジまたは立ち下がりエッジを基準点として、Ｈパルスの発生頻度を検出する。ヒストグラム生成モジュール１６は、再生対象信号区間における任意の区間についてＨパルスの発生頻度を示すヒストグラムを生成する。ヒストグラムは、ＰＰＭ信号の種類によって、ピークが複数個発生する場合がある。サンプリング点判定モジュール１８は、その複数のピーク値により、最適なサンプリング点を判定する。
【００３８】
再生対象信号区間におけるＰＰＭ符号化されたパルスは、例えば、“Ｈ”“Ｌ”、“Ｌ”“Ｈ”というようなパターンも考えられる。この場合、ヒストグラムには２個のピークが存在する。
【００３９】
図８は、ヒストグラム生成モジュール１６で生成したヒストグラムの例を示す図である。図８の左図は、伝送後の再生対象信号区間における任意の区間でのパルスの発生頻度のヒストグラムである。図８の右図は、伝送前（正常の場合）の再生対象信号区間における任意の区間でのパルスの発生頻度のヒストグラムである。伝送後の再生対象信号区間における前半のＨパルスの発生頻度は、正常の場合の６クロックから４クロックとなっている。後半のＨパルスの発生頻度は、正常の場合の１２クロックから１０クロックとなっている。
【００４０】
図９は、比較例として、図８の右図に示す正常の場合のヒストグラムに基づいて生成したサンプリング点を示すタイミングチャートである。この場合、サンプリングモジュール２０は、例えば、“Ｈ”“Ｌ”“Ｌ”“Ｈ”“Ｌ”“Ｈ”とパルスが並ぶ再生対象信号区間について見ると、ＰＰＭ信号を正確にサンプリングできない。具体的には、サンプリングモジュール２０は、サンプリング点が図９に示す区間における４番目と６番目のＨの位置とずれているため、ＰＰＭ信号を正確にサンプリングできない。
【００４１】
図１０は、図８の左図に示す本実施形態に係るヒストグラムに基づいて生成したサンプリング点を示すタイミングチャートである。例えば、図９に示すようにＨ”“Ｌ”“Ｌ”“Ｈ”“Ｌ”“Ｈ”とパルスが並ぶ再生対象信号区間について見る。１番目のＨパルスは、図８の左図に示すヒストグラムにより、基準点がら４クロック目でサンプリングすると良いことがわかる。４番目のＨパルスは、図８の左図に示すヒストグラムにより、基準点がら１０クロック目でサンプリングすると良いことがわかる。
【００４２】
したがって、サンプリング点生成モジュール１９は、基準となる位置からのサンプリングクロックＳ１＝２×８×ｎ＋４    （ｎ＝０，１，２…）とＳ２＝２×８×ｎ＋１０    （ｎ＝０，１，２…）と設定する。
【００４３】
図１０に示す４番目のＨパルスのサンプリング点は、上記Ｓ２式から、２×８×ｎ＋１０    （ｎ＝０，１，２…）となる。同様に、６番目のＨパルスのサンプリング点は、２×８×（ｎ＋１）＋１０    （ｎ＝０，１，２…）となる。
【００４４】
また、制御モジュール１０は、ＰＰＭ信号の再生対象信号区間の再生中に、再生対象信号区間における任意の区間でサンプリング点を生成し、サンプリング点を変更するようにサンプリング点生成モジュール１９に対して制御してもよい。また、制御モジュール１０は、ＰＰＭ信号の再生対象信号区間の再生中に、サンプリング点を一定時間間隔で生成し、変更するようにサンプリング点生成モジュール１９に対して制御してももよい。
【００４５】
以上のように、本実施形態よれば、検出したＨパルスの発生頻度のヒストグラムに基づいて設定したサプリング点でＰＰＭ信号をサンプリングすると、正常の場合のＨパルスの発生頻度のヒストグラムに基づいて設定したサンプリング点でＰＰＭ信号をサンプリングする場合に比べて、パルスの発生頻度のばらつきの影響を軽減できる。したがって、放送受信装置１は、ＰＰＭ信号を正確にサンプリングし、再生できる。
【００４６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００４７】
１…信号受信装置、１０…制御モジュール、１１…受信モジュール、１２…ＰＰＭ信号エッジ検出モジュール、１３…基準点検出モジュール、１４…パルス間隔検出モジュール、１５…パルス検出モジュール、１６…ヒストグラム生成モジュール、１７…ヒストグラム分析モジュール、１８…サンプリング点判定モジュール、１９…サンプリング点生成モジュール、２０…サンプリングモジュール、２１…クロック発振モジュール。
【図１】
2011119799.tif 000003
【図２】
2011119799.tif 000004
【図３】
2011119799.tif 000005
【図４】
2011119799.tif 000006
【図５】
2011119799.tif 000007
【図６】
2011119799.tif 000008
【図７】
2011119799.tif 000009
【図８】
2011119799.tif 000010
【図９】
2011119799.tif 000011
【図１０】
2011119799.tif 000012
【手続補正書】
【提出日】平成23年3月23日(2011.3.23)
【手続補正１】
【補正対象書類名】図面
【補正対象項目名】図９
【補正方法】変更
【補正の内容】
【図９】
2011119799.tif 000013
【手続補正２】
【補正対象書類名】図面
【補正対象項目名】図１０
【補正方法】変更
【補正の内容】
【図１０】
2011119799.tif 000014